(57)【要約】【課題】  耐摩耗性及び耐肌荒れ性に優れた圧延用遠心鋳造複合ロールの外層材及び前記外層材からなる外層と内層とが溶着一体化してなる圧延用遠心鋳造複合ロールを提供する。【解決手段】  質量基準で1.50〜2.70%のCと、0.3〜3%のSiと、0.1〜3%のMnと、0.1〜2.5%のNiと、4.0〜7.0%のCrと、4.1〜8.0%のMoと、5.0〜10.0%のVと、0〜0.4%のWと、0.1〜3.0%のNbと、0.005〜0.15%のNと、0〜0.05%のBとを含有し、残部が実質的にFe及び不可避的不純物からなるFe合金からなり、V含有量（質量%）とNb含有量（質量%）との比V/Nbが1〜20.0であり、次式：  C-bal＝C%-0.2×V%-0.06×Cr%-0.063×Mo%-0.033×W%-0.13×Nb%・・(1)で示されるC-balが0〜0.28であることを特徴とする圧延用遠心鋳造複合ロールの外層材。【選択図】  図1
2020022989.tif 000002
【特許請求の範囲】
【請求項１】
質量基準で1.50〜2.70%のCと、0.3〜3%のSiと、0.1〜3%のMnと、0.1〜2.5%のNiと、4.0〜7.0%のCrと、4.1〜8.0%のMoと、5.0〜10.0%のVと、0〜0.4%のWと、0.1〜3.0%のNbと、0.005〜0.15%のNと、0〜0.05%のBとを含有し、残部が実質的にFe及び不可避的不純物からなるFe合金からなり、V含有量（質量%）とNb含有量（質量%）との比V/Nbが1〜20.0であり、次式：
C-bal＝C%-0.2×V%-0.06×Cr%-0.063×Mo%-0.033×W%-0.13×Nb%・・(1)
［ただし、C%、V%、Cr%、Mo%、W%及びNb%は、それぞれC、V、Cr、Mo、W及びNbの含有量（質量%）である。］
で示されるC-balが0〜0.28であることを特徴とする圧延用遠心鋳造複合ロールの外層材。
【請求項２】
請求項1に記載の圧延用遠心鋳造複合ロールの外層材において、
前記外層材がさらに、質量基準で0.1〜5%のCo、0.01〜0.5%のZr、0.05〜0.5%のTi、及び0.001〜0.5%のAlからなる群から選ばれた少なくとも一種を含有することを特徴とする圧延用遠心鋳造複合ロールの外層材。
【請求項３】
請求項１又は2に記載の外層材からなる外層と、前記外層の内側に溶着一体化した内層とからなることを特徴とする圧延用遠心鋳造複合ロール。
【発明の詳細な説明】
【技術分野】
【０００１】
本発明は、耐摩耗性及び耐肌荒れ性に優れた圧延用遠心鋳造複合ロールの外層材、及び前記外層材からなる外層と、強靭で耐摩耗性に優れた内層とが溶着一体化してなる圧延用遠心鋳造複合ロールに関する。
【背景技術】
【０００２】
圧延用複合ロールの外層材として、Cr、Mo、W、Vなどの合金元素を各数%含有させたハイスロール材が用いられている。ハイスロール材は、V系炭化物であるMC(Mはメタルをさす)、Mo及びW系炭化物であるM6CやM2Cなどの高硬度の炭化物を晶出又は析出させて、Feの基地と炭化物の総和としての硬さを高め、Mo、Wにより高温での基地硬さの低下を抑えた材料であり、優れた耐摩耗性を発揮させたものであるが、単に合金元素を多量に含有させただけでは、硬質炭化物が不均一に晶析出するため、ロールの摩耗形態が不均一となり、耐摩耗性及び耐肌荒れ性に劣るようになる。
【０００３】
特許文献1(特開2002-161331号)は、質量%で、C：0.7〜3.6%、Si：0.2〜2.5%、Mn：0.2〜2.0%、Cr：2.0〜10%、Mo：0.2〜10%、V：2.0〜10%、B：0.001〜0.50%、Al：0.001〜0.50%、Ti：0.001〜0.50%、Zr：0.001〜0.50%、Cu：0.001〜0.50%、Mg：0.001〜0.50%、及びCa：0.001〜0.50%を含有し、残部Fe及び不可避的不純物からなり、さらに、質量%で、Ni：0.1〜10%、W：0.2〜10%、Nb：0.2〜10%、及びCo：0.2〜10%の少なくとも1種を含有する圧延用複合ロールの外層材を開示している。特許文献1は、この外層材により、硬質のMC炭化物の球状化と微細均一化により、耐肌荒れ性と耐摩耗性の大幅な向上が可能となり、圧延ロールの長寿命化が図れると記載している。
【０００４】
特許文献2(国際公開第2018/047444号)は、質量%で、C：2.0〜3.0%、Si：0.2〜1.0%、Mn：0.2〜1.0%、Cr：4.0〜7.0%、Mo：3.0〜6.5%、V：5.0〜7.5%、Nb：0.5〜3.0%、Ni：0.05〜3.0%、Co：0.2〜5.0%、及びW：0.5〜5.0%を含有し、かつC、Cr、Mo、V、Nb、Ni及びWの含有量が、式：
0.05≦(%C-%V×0.177-%Nb×0.129-%Cr×0.099-%Mo×0.063-%W×0.033)＋(%Ni)≦4.0
を満足し、残部Fe及び不可避的不純物からなる組成を有し、基地組織の85%以上が焼戻しマルテンサイト及び/又はベイナイト組織であり、焼戻しマルテンサイト又はベイナイトの短径が0.5〜3.0μmである熱間圧延用ロール外層材を開示している。特許文献2は、この外層材により、耐摩耗性を確保するとともに、ロール表面のピット状の疵を軽減させ、耐肌荒れ性に優れた熱間圧延用複合ロールを提供できると記載している。
【０００５】
特許文献3(特開2000-303135号)は、遠心鋳造で製造された外層と内層との間に中間層を有し、前記中間層を介して外層と内層が溶着一体化してなる熱間圧延用複合ロールであって、前記外層が、重量比でC：1.5〜2.6%、Si：0.1〜2.0%、Mn：0.1〜2.0%、Cr：7〜15%、Mo：2.5〜10%、V：3〜10%、Nb：0.5〜5%を含み、さらに0.27≦Mo（%）／Cr（%）≦0.8、及びCr（%）／C（%）≧3.3の2式を同時に満足し、残部Fe及び不可避的不純物からなる組成を有し、かつ室温から300℃における平均熱膨張係数が11.5×10-6／℃以下であり、前記内層の、室温から500℃までの平均熱膨張係数が13.5×10-6／℃以下である熱間圧延用複合ロールを開示している。特許文献3は、この外層材により、優れた耐摩耗性と耐肌荒れ性を有し、かつ良好な通板性や耐絞りクラック性などの耐事故性に優れた遠心鋳造製熱間圧延用複合ロールを提供できると記載している。
【０００６】
特許文献4(特開2000-160277号)は、耐摩耗鋳鉄材で形成された外層と、該外層の内周面に溶着された中間層と、該中間層の内周面に溶着された内層とからなり、且つ前記外層と中間層が遠心力鋳造されてなる複合ロールにおいて、前記外層は、化学組成が重量%で、C：1.0〜3.0%、Si：0.1〜2.0%、Mn：0.1〜2.0%、Ni：0.1〜4.5%、Cr：3.0〜10.0%、Mo：0.1〜9.0%、W：1.5〜10.0%、Al：0.01〜0.50%、Co：0.5〜10.0%、V,Nb：一種又は二種の総計で3.0〜10.0%、及び残部実質的にFeからなることを特徴とする複合ロールを開示している。特許文献4は、この外層材により、耐摩耗性に優れ、かつロール表面において、マクロ偏析に起因する摩耗のむら及び表面粗さのむらができないよう均一材質の外層を備えた複合ロールを提供できると記載している。
【０００７】
特許文献5(国際公開第2016/031519号)は、質量基準でC：1.8〜2.5%、Si：0%超1.0%以下、Mn：0%超1.0%以下、Ni：0%超0.5%以下、Cr：3.0%超8.0%以下、Mo：2.0%超10.0%以下、W：0%超10.0%以下、Ｖ：0%超10.0%以下、B：0%超0.01%未満、残部Fe及び不可避的不純物を含む圧延用複合ロールの外層材を開示している。特許文献5は、二次共晶炭化物に含まれるＢ量を低減することにより、二次共晶炭化物の強度の向上を図ることができるから、凝固後に1100℃程度の高温に晒されても二次共晶炭化物が溶損することを防止でき、外層は優れた耐肌荒れ性を発揮すると記載している。
【０００８】
特許文献6(国際公開第2015/045984号)は、質量基準でC：1〜3%、Si：0.4〜3%、Mn：0.3〜3%、Ni：1〜5%、Cr：2〜7%、Mo：3〜8%、V：3〜7%、及びB：0.01〜0.12%を含有し、残部がFe及び不可避的不純物からなる化学組成を有し、かつ式(1)：Cr/(Mo＋0.5W)＜−2/3[C−0.2(V＋1.19Nb)]＋11/6（ただし、任意成分であるW及びNbを含有しない場合、W＝0及びNb＝0である。）により表される関係を満足し、面積率で1〜15%のMC炭化物、0.5〜20%の炭ホウ化物、及び0.5〜20%のMo系炭化物を含有する外層を有する熱間圧延用遠心鋳造複合ロールを開示している。特許文献6は、この複合ロールの外層は、組織中の炭ホウ化物により優れた耐焼付き性を示し、かつ耐摩耗性及び耐肌荒れ性に優れると記載している。
【０００９】
特許文献7(特開2016-43388号)は、質量%にて、V：5.5%以上10.0%以下を含むハイス系鋳鉄材からなり、凝固速度を10 mm/min以上とすることで、引張り強さを1100 MPa以上とした圧延用複合ロールの外層材を開示しており、張り強さの高い圧延用複合ロールの外層材及びこれを外層とする圧延用複合ロールを提供できると記載している。
【００１０】
特許文献8(特開2015-205342号)は、(a) 質量基準で、C：1.0〜3.0%、Si：0.3〜2.0%、Mn：0.1〜1.6%、Ni：0.1〜3.0%、Cr：3.0〜10.0%、Mo：2.0〜10.0%、W：0.01〜8.0%、V：4.0〜10.0%、及びNb：0.1〜6.0%を含有し、残部がFe及び不可避的不純物からなる外層と、(b)ダクタイル鋳鉄からなる軸芯部と、(c) 鋳鉄製中間層とからなり、(d) 前記中間層内で軸芯部との境界部付近におけるVの含有量は前記外層の廃却径におけるVの含有量の55%以下であり、かつ前記中間層内で軸芯部との境界部付近におけるCr含有量は前記外層の廃却径におけるCr含有量の50%以上である遠心鋳造製熱間圧延用複合ロールを開示しており、優れた耐摩耗性を有し、かつ外層、中間層及び軸芯部の溶着が良好であると記載している。
【００１１】
しかしながら、近年の圧延技術の進歩、及び圧延鋼板の高品質化・高級化に伴い、圧延ロールの使用環境はますます厳しくなっており、特許文献1〜8に記載された従来の圧延ロールでは、耐摩耗性と耐肌荒れ性との両立が十分にできない場合が生じてきた。
【先行技術文献】
【特許文献】
【００１２】
【特許文献１】特開2002-161331号公報
【特許文献２】国際公開第2018/047444号
【特許文献３】特開2000-303135号公報
【特許文献４】特開2000-160277号公報
【特許文献５】国際公開第2016/031519号
【特許文献６】国際公開第2015/045984号
【特許文献７】特開2016-43388号公報
【特許文献８】特開2015-205342号公報
【発明の概要】
【発明が解決しようとする課題】
【００１３】
従って、本発明の目的は、耐摩耗性を確保するとともに、耐肌荒れ性に優れた圧延用遠心鋳造複合ロールの外層材及び前記外層材からなる外層と内層とが溶着一体化してなる圧延用遠心鋳造複合ロールを提供することである。
【課題を解決するための手段】
【００１４】
上記目的に鑑み鋭意研究の結果、本発明者らは、特定の化学組成を有し、炭素含有量のバランスを最適な範囲に調節することにより、優れた耐摩耗性及び耐肌荒れ性を有する外層材が得られることを見出し、本発明に想到した。
【００１５】
すなわち、本発明の圧延用遠心鋳造複合ロールの外層材は、
質量基準で1.50〜2.70%のCと、0.3〜3%のSiと、0.1〜3%のMnと、0.1〜2.5%のNiと、4.0〜7.0%のCrと、4.1〜8.0%のMoと、5.0〜10.0%のVと、0〜0.4%のWと、0.1〜3.0%のNbと、0.005〜0.15%のNと、0〜0.05%のBとを含有し、残部が実質的にFe及び不可避的不純物からなるFe合金からなり、V含有量（質量%）とNb含有量（質量%）との比V/Nbが1〜20.0であり、次式：
C-bal＝C%-0.2×V%-0.06×Cr%-0.063×Mo%-0.033×W%-0.13×Nb%・・(1)
［ただし、C%、V%、Cr%、Mo%、W%及びNb%は、それぞれC、V、Cr、Mo、W及びNbの含有量（質量%）である。］
で示されるC-balが0〜0.28であることを特徴とする。
【００１６】
前記外層材は、さらに質量基準で0.1〜5%のCo、0.01〜0.5%のZr、0.05〜0.5%のTi、及び0.001〜0.5%のAlからなる群から選ばれた少なくとも一種を含有するのが好ましい。
【００１７】
本発明の圧延用遠心鋳造複合ロールは、前記外層材からなる外層と、前記外層の内側に溶着一体化した内層とからなることを特徴とする。
【発明の効果】
【００１８】
本発明により、耐摩耗性と耐肌荒れ性とを両立させた圧延用遠心鋳造複合ロールの外層材及びそれを外層として用いた圧延用遠心鋳造複合ロールを提供することができるので、圧延ロールとしてのさらなる長寿命化が達成され、圧延作業のコスト低減に貢献する。
【図面の簡単な説明】
【００１９】
【図１】圧延用遠心鋳造複合ロールの一例を示す概略断面図である。
【図２（ａ）】圧延用遠心鋳造複合ロールを製造するのに用いる静置鋳造用鋳型の一例を示す分解断面図である。
【図２（ｂ）】圧延用遠心鋳造複合ロールを製造するのに用いる静置鋳造用鋳型の一例を示す断面図である。
【図３】圧延摩耗試験機を示す模式図である。
【発明を実施するための形態】
【００２０】
本発明の実施形態を以下詳細に説明するが、本発明はそれらに限定されるものではなく、本発明の技術的思想を逸脱しない範囲内で種々の変更をしても良い。1つの実施形態の説明は、特に断りがなければ他の実施形態にも当てはまる。単に「%」と記載している場合、特に断りがなければ「質量%」を意味する。
【００２１】
[1] 圧延用遠心鋳造複合ロール
図1は遠心鋳造法により形成された外層1と、外層1に溶着一体化した内層2とからなる圧延用遠心鋳造複合ロール10を示す。ダクタイル鋳鉄からなる内層2は、外層1に溶着した胴芯部21と、胴芯部21の両端から一体的に延出する軸部22，23とを有する。
【００２２】
(A) 外層
本発明の圧延用遠心鋳造複合ロールを構成する外層は、質量基準で1.50〜2.70%のCと、0.3〜3%のSiと、0.1〜3%のMnと、0.1〜2.5%のNiと、4.0〜7.0%のCrと、4.1〜8.0%のMoと、5.0〜10.0%のVと、0〜0.4%のWと、0.1〜3.0%のNbと、0.005〜0.15%のNと、0〜0.05%のBとを含有し、残部が実質的にFe及び不可避的不純物からなるFe合金からなり、V含有量（質量%）とNb含有量（質量%）との比V/Nbが1〜20.0であり、次式：
C-bal＝C%-0.2×V%-0.06×Cr%-0.063×Mo%-0.033×W%-0.13×Nb%・・(1)
で示されるC-balが0〜0.28である外層材からなる。
【００２３】
外層材はさらに質量基準で0.1〜5%のCo、0.01〜0.5%のZr、0.05〜0.5%のTi、及び0.001〜0.5%のAlからなる群から選ばれた少なくとも一種を含有しても良い。
【００２４】
(1) 必須元素
(a) C：1.50〜2.70質量%
CはV、Cr及びMoと(さらに、Nb及びWを含有する場合にはNb及びWとも)結合して硬質炭化物を生成し、外層の耐摩耗性の向上に寄与する。Cが1.50質量%未満では硬質炭化物の晶出量が少なすぎて外層に十分な耐摩耗性を付与することができない。一方、Cが2.70質量%を超えると過剰な炭化物の晶出により外層の靱性が低下し、耐クラック性が低下するため、圧延によるクラックが深くなり、改削時のロール損失量が増加する。Cの含有量の下限は好ましくは1.60質量%であり、より好ましくは1.70質量%である。またCの含有量の上限は好ましくは2.60質量%であり、より好ましくは2.50質量%である。
【００２５】
(b) Si：0.3〜3質量%
Siは溶湯の脱酸により酸化物の欠陥を減少させるとともに、基地に固溶して耐焼付き性を向上させ、さらに溶湯の流動性を向上させて鋳造欠陥を防止する作用を有する。Siが0.3質量%未満では溶湯の脱酸作用が不十分であり、溶湯の流動性も不足し、欠陥発生率が高い。一方、Siが3質量%を超えると合金基地が脆化し、外層の靱性は低下する。Si含有量の下限は好ましくは0.4質量%であり、より好ましくは0.5質量%である。Si含有量の上限は好ましくは2.0質量%であり、より好ましくは1.5質量%である。
【００２６】
(c) Mn：0.1〜3質量%
Mnは溶湯の脱酸作用の他に、SをMnSとして固定する作用を有する。MnSは潤滑作用を有し、圧延材の焼き付き防止に効果があるので、所望量のMnSを含有するのが好ましい。Mnが0.1質量%未満ではその添加効果は不十分である。一方、Mnが3質量%を超えてもさらなる効果は得られない。Mnの含有量の下限は好ましくは0.2質量%であり、より好ましくは0.3質量%である。Mnの含有量の上限は好ましくは2.0質量%であり、より好ましくは1.5質量%である。
【００２７】
(d) Ni：0.1〜2.5質量%
Niは外層の基地の焼き入れ性を向上させる作用を有するので、大型の複合ロールの場合にNiを含有すると、冷却中のパーライトの発生を防止し、外層の硬さを向上させることができる。Niの添加効果は0.1質量%未満ではほとんどなく、2.5質量%を超えるとオーステナイトが安定化しすぎ、硬さが向上しにくくなる。Ni含有量の下限は好ましくは0.2質量%であり、より好ましくは0.3質量%であり、更に好ましくは0.5質量%である。Ni含有量の上限は好ましくは2.4質量%であり、より好ましくは2.3質量%である。
【００２８】
(e) Cr：4.0〜7.0質量%
Crは基地をベイナイト又はマルテンサイトにして硬さを保持し、外層の耐摩耗性を維持するのに有効な元素である。Crが4.0質量%未満ではその効果が不十分であり、Crが7.0質量%を超えると、基地組織の靭性が低下する。Crの含有量の下限は好ましくは4.1質量%であり、より好ましくは4.2質量%である。Cr含有量の上限は好ましくは6.5質量%であり、より好ましくは6.0質量%である。
【００２９】
(f) Mo：4.1〜8.0質量%
MoはCと結合して硬質炭化物(M6C、M2C)を形成し、外層の硬さを増加させるとともに、基地の焼入れ性を向上させる。また、MoはV及び/又はNbとともに強靭かつ硬質MC炭化物を生成し、耐摩耗性を向上させる。Moが4.1質量%未満ではそれらの効果が不十分である。一方、Moが8.0質量%を超えると、外層の靭性が低下する。Mo含有量の下限は好ましくは4.5質量%であり、より好ましくは5.0質量%である。Mo含有量の上限は好ましくは7.0質量%であり、より好ましくは6.5質量%である。
【００３０】
(g) V：5.0〜10.0質量%
VはCと結合して硬質のMC炭化物を生成する元素である。MC炭化物は2500〜3000のビッカース硬さHvを有し、炭化物の中で最も硬い。Vが5.0質量%未満では、MC炭化物の析出量が不十分となって、外層の耐摩耗性が低下する。一方、Vが10.0質量%を超えると、鉄溶湯より比重の軽いMC炭化物が遠心鋳造中の遠心力により外層の内側に濃化し、MC炭化物の半径方向偏析が著しくなるだけでなく、MC炭化物が粗大化して合金組織が粗くなり、圧延時に肌荒れしやすくなる。V含有量の下限は好ましくは5.1質量%であり、より好ましくは5.2質量%である。V含有量の上限は好ましくは9.0質量%であり、より好ましくは8.0質量%である。
【００３１】
(h) W：0〜0.4質量%
WはCと結合して硬質のM6C等の硬質炭化物を生成し、外層の耐摩耗性向上に寄与する。またMC炭化物にも固溶してその比重を増加させ、偏析を軽減させる作用を有する。しかし、Wが0.4質量%を超えると、M6C炭化物が多くなり、組織が不均質となり、肌荒れの原因となる。従って、Wを含有する場合、0.4質量%以下とする。上記効果を得るためにはWは0.02質量%以上が好ましく、0.04質量%以上がより好ましい。Wの含有量の上限は好ましくは0.3質量%であり、より好ましくは0.2質量%である。
【００３２】
(i) Nb：0.1〜3.0質量%
Vと同様に、NbもCと結合して硬質MC炭化物を生成する。NbはV及びMoとの複合添加により、MC炭化物に固溶してMC炭化物を強化し、外層の耐摩耗性を向上させる。NbはVより原子量が大きいためVを主体としたMC炭化物に固溶することにより、鉄溶湯より比重の小さなV主体のMC炭化物の比重が大きくなるため、遠心鋳造中の遠心力によるMC炭化物の偏析を軽減させる作用を有する。Nbが0.1質量%未満では、MC炭化物の晶出量の寄与が少なく、MC炭化物の偏析を軽減させる効果が得られない。一方、Nbが3.0質量%を超えると、鉄溶湯より比重の重いNbを主体とするMC炭化物の晶出量が増加し、遠心力により表面側に濃化及び偏析しやすくなる。Nb含有量の下限は好ましくは0.2質量%である。より好ましくは0.3質量%である。Nb含有量の上限は好ましくは2.5質量%であり、より好ましくは2.2質量%である。
【００３３】
(j) N：0.005〜0.15質量%
NはVやNbやその他の微量元素と結びついて窒化物となり、その窒化物が炭化物の凝固核となって炭化物を微細化させる。特にこれらの窒化物はMCが液相から凝固する際に有効な核となるので、耐摩耗性や耐肌荒れ性に寄与するMCの生成温度とその分布に大きく影響を与える。Nが0.005質量%未満の場合はMCの核となる窒化物が不十分になり微細なMCが均質に分布できなくなる。MCが不均質な状態で分布すると耐摩耗性が不十分となるばかりでなく、MCが少ない部分と多い部分で損傷の差が発生して耐肌荒れ性も不十分となる。Nが0.15質量%を超えると、液相中のMCの核が増加しMCの晶出が容易になるため、鉄基地となるオーステナイト晶出より高い温度でMCが先に単独の粒状晶として晶出する。体積割合で大部分を占めるオーステナイトが液相である段階でMCが粒状の固相として晶出すると、オーステナイトが晶出するまでの間に粒状のMCの偏析が発生しやすくなる。偏析により硬質のMCが不均一に生じるため、全体として耐摩耗性劣化や耐肌荒れ性の不足が生じる。N含有量の上限は好ましくは0.1質量%である。十分な炭化物微細化効果を得るには、N含有量の下限は好ましくは0.01質量%である。
【００３４】
(k) B：0〜0.05%
Bは炭化物に固溶し、炭化物の融点を低下させる作用があり、凝固過程においてこの部分が最終凝固部となり、鋳造方案によっては引け巣欠陥として残りやすくなる。この作用は、0.05重量%を超えると顕著になり、ロール材質や鋳造方案に制限が出てくる可能性がある。B含有量の上限は好ましくは0.04質量%であり、より好ましくは0.03質量%である。
【００３５】
(l) 比V/Nb：1〜20.0
V、Nbはともに硬質のMC炭化物を形成する元素であり、V/Nbを調整することにより、MCの密度を適正化し、遠心鋳造の凝固時に遠心力による重力偏析を軽減し、MC炭化物をロール外層内に適正に分布させることが可能となる。V/Nbが1未満の場合、溶鋼密度に対してMCの密度が高くなる傾向となりMCがロール外面側に移動しやすく、外層内の特定層位置に濃化しMCの偏析が発生しやすい傾向となる。V/Nbが20を超えるとMC密度が低くなるため凝固時にロール内面側に移動しやすく、使用層内のMC量が減少するとともに、最内面に濃化すると容易に再溶融しにくく内層との接合が困難となる。V/Nbは2以上が望ましく、3以上がさらに望ましい。V/Nbは15以下が望ましく10以下がさらに望ましい。
【００３６】
(m) C-bal：0〜0.28
C-balは基地中の炭素量を示す指標であり、次式(1)：
C-bal＝C%-0.2×V%-0.06×Cr%-0.063×Mo%-0.033×W%-0.13×Nb%・・(1)
［ただし、C%、V%、Cr%、Mo%、W%及びNb%は、それぞれC、V、Cr、Mo、W及びNbの含有量（質量%）である。］で示される。C-balは、炭化物形成元素含有量とこれと化合して炭化物を構成する炭素含有量のバランスの指標であり、C-balが高すぎると炭化物形成元素に対してC量が過剰となるため、目的としない炭化物が晶出し、適正な特性を得ることができなくなる。逆にC-balが低すぎると鉄基地中の炭素含有量が不足するため十分な硬さを得ることができなくなる。従って、C-balを適度な範囲とすることが好ましい。C-balが0%未満になると基地を硬くするのに不十分でありロールの耐摩耗性を十分発揮できなくなり、C-balが0.28%を超えると低硬度のセメンタイト等目的とする晶出炭化物が得られない傾向となるので好ましくない。
【００３７】
(2) 任意元素
外層材はさらに、質量基準で0.1〜10%のCo、0.01〜0.5%のZr、0.005〜0.5%のTi、及び0.001〜0.5%のAlからなる群から選ばれた少なくとも一種を含有しても良い。外層材はさらに、周期表第2族元素、第3族元素からなる群から選ばれた少なくとも一種を含有しても良い。
【００３８】
(a) Co：0.1〜5質量%
Coは基地中に固溶し、基地の熱間硬さを増加させ、外層の耐摩耗性及び耐肌荒れ性を改善する効果を有する。Coが0.1質量%未満では効果はほとんどなく、また5質量%を超えてもさらなる向上は得られないとともに原料コストアップになる。Co含有量の下限は好ましくは1質量%である。またCo含有量の上限は好ましくは3質量%であり、さらに好ましくは2.0質量%である。
【００３９】
(b) Zr：0.01〜0.5質量%
V及びNbと同様に、ZrはCと結合してMC炭化物を生成し、外層の耐摩耗性を向上させる。また、Zrは溶湯中で結晶核として作用する酸化物を生成し、凝固組織を微細にする。さらに、ZrはMC炭化物の比重を増加させ、偏析防止に効果がある。しかし、Zrが0.5質量%を超えると、介在物となるので好ましくない。Zr含有量の上限はより好ましくは0.3質量%である。十分な添加効果を得るためには、Zrの含有量の下限はより好ましくは0.02質量%である。
【００４０】
(c) Ti：0.005〜0.5質量%
TiはC及びNと結合し、TiC、TiN又はTiCNのような硬質の粒状化合物を形成する。これらは、MC炭化物の核となるため、MC炭化物の均質分散効果があり、外層の耐摩耗性及び耐肌荒れ性の向上に寄与する。しかし、Ti含有量が0.5質量%を超えると、溶湯の粘性が増加し、鋳造欠陥が発生しやすくなる。Ti含有量の上限はより好ましくは0.3質量%であり、最も好ましくは0.2質量%である。十分な添加効果を得るために、Tiの含有量の下限はより好ましくは0.01質量%である。
【００４１】
(d) Al：0.001〜0.5質量%
Alは酸素との親和性が高いため、脱酸剤として作用する。また、AlはN及びOと結合し、形成された酸窒化物が溶湯中に懸濁されて核となり、MC炭化物を微細均一に晶出させる。しかし、Alが0.5質量%を超えると、外層が脆くなる。また、Alが0.001質量%未満ではその効果が十分でない。Al含有量の上限はより好ましくは0.3質量%であり、最も好ましくは0.2質量%である。十分な添加効果を得るために、Alの含有量の下限はより好ましくは0.01質量%である。
【００４２】
(f)周期表第2族元素及び第3族元素：合計で0〜0.1質量%以下
周期表第2族元素及び第3族元素は、OやS元素との親和性が高く脱酸及び脱硫作用があるため、溶湯の清浄作用を持ち、鋳造欠陥発生を防止する作用がある。しかし、通常溶湯のOやS含有量を考慮すると、合計で0.1質量%を超えて添加してもその効果はない。これら合計の好ましい上限は、0.05質量%でありより好ましくは0.03質量%である。周期表第2族元素、第3族元素としては、Mg、Ca、Sr、Ba、La、Ceなどが例示できる。
【００４３】
(3) 不可避的不純物
外層材の組成の残部は実質的にFe及び不可避的不純物からなる。不可避的不純物のうち、P及びSは機械的性質の劣化を招くので、少なくするのが好ましい。具体的には、Pの含有量は0.1質量%以下が好ましい。Sの含有量は0.05質量%以下が好ましい。その他の不可避的不純物として、Cu、Sb、Te等の元素を外層の特性を損なわない範囲で含有しても良い。外層の優れた耐摩耗性及び耐肌荒れ性を確保するために、Cuは、0.5質量%以下、Sb、Teはその合計で0.1%以下であるのが好ましい。
【００４４】
(4) 組織
外層の組織は、(a)MC炭化物、(b)基地粒界の共晶炭化物、及び(c)基地からなり、MC炭化物を面積率で9〜22%、基地粒界の共晶炭化物を面積率で2〜10%含有するのが好ましい。基地粒界の共晶炭化物は、M2C、M6C、M7C3などである。金属Mは主にFe、Cr、Mo、V、Nb及びWの少なくとも一種であり、金属M、C及びBの割合は組成により変化する。本発明において、外層組織には黒鉛が存在しないのが好ましい。MC炭化物は、粒状で特に硬質であり、耐摩耗性に顕著な効果がある。面積率で9〜22%のMC炭化物を含有することにより、耐摩耗性により優れた外層材質となる。MC炭化物は面積率で10〜17%であるのがより好ましい。一方、基地粒界に形成する共晶炭化物は、基地を支える作用を持つため、圧延負荷による基地の組成流動を防止することによって、耐肌荒れ性の効果を発揮する。
【００４５】
(B) 内層
(1)組成
本発明の圧延用遠心鋳造複合ロールの内層は、質量基準で2.4〜3.6%のCと、1.5〜3.5%のSiと、0.1〜2%のMnと、0.1〜2%のNiと、0.7%未満のCrと、0.5%未満のMoと、1%未満のVと、0.01〜0.1%のMgとを含有し、残部が実質的にFe及び不可避的不純物からなる黒鉛鋳鉄であるのが好ましい。
【００４６】
内層の組成の残部は実質的にFe及び不可避的不純物からなる。不可避的不純物のうち、P、S及びNは機械的性質の劣化を招くので、できるだけ少なくするのが好ましい。具体的には、Pの含有量は0.1質量%以下が好ましく、Sの含有量は 0.05質量%以下が好ましく、Nは0.07質量%以下が好ましい。また、Bは内層の黒鉛化を阻害するため、0.05質量%未満が好ましい。その他の不可避的不純物として、外層にZr、Co、Ti、Al等の元素が含まれる場合は、Zr、Co、Ti、Al等の元素及びBa、Cu、Sb、Te、Ce、希土類金属元素等の元素が挙げられるが、これらの元素の含有量は合計で0.7質量%以下とするのが好ましい。
【００４７】
(2) 組織
本発明の圧延用遠心鋳造複合ロールの内層は黒鉛が晶出した黒鉛鋳鉄からなる。黒鉛鋳鉄は黒鉛を含有しない白鋳鉄より軟らかく、変形能が大きい。黒鉛鋳鉄は、球状、片状、隗状等の黒鉛の形状に応じて分類される。特に、球状黒鉛が晶出した球状黒鉛鋳鉄は大きな強靭性を有するため、ロール内層材に好ましい。
【００４８】
黒鉛鋳鉄中の黒鉛の面積率は2〜12%が好ましい。黒鉛の面積率が2%未満であると、セメンタイト量が多く材質の伸びが不足し、圧延時の熱的、機械的負荷に耐えられず、ロールの折損を起こすおそれが大きい。一方、3.6質量%の炭素量上限から、黒鉛の面積率の上限は12%である。
【００４９】
(C) 中間層
本発明の圧延用遠心鋳造複合ロールについて説明したが、外層と内層との間に緩衝層を形成する目的で、外層と内層との中間的組成を有する中間層を設けることができる。中間層の厚さは10〜30 mmが好ましい。
【００５０】
(D) ロールサイズ
本発明の遠心鋳造製複合圧延ロールのサイズは特に限定されないが、好ましい例は、外層の外径が200〜1300 mmで、ロール胴長が500〜6000 mmで、外層の圧延使用層の厚さが25〜200 mmである。
【００５１】
[2]熱間圧延用遠心鋳造複合ロールの製造方法
遠心鋳造複合ロールは、具体的には以下の方法により製造するのが好ましい。図2(a)及び図2(b)は、遠心鋳造用円筒状鋳型30で外層1を遠心鋳造した後に内層2を鋳造するのに用いる静置鋳造用鋳型の一例を示す。静置鋳造用鋳型100は、内面に外層1を有する円筒状鋳型30と、その上下端に設けられた上型40及び下型50とからなる。円筒状鋳型30は鋳型本体31と、その内側に形成された砂型32と、鋳型本体31及び砂型32の下端部に形成された砂型33とからなる。上型40は鋳型本体41と、その内側に形成された砂型42とからなる。下型50は鋳型本体51と、その内側に形成された砂型52とからなる。下型50には内層用溶湯を保持するための底板53が設けられている。円筒状鋳型30内の外層1の内面は内層2の胴芯部21を形成するためのキャビティ60aを有し、上型40は内層2の軸部23を形成するためのキャビティ60bを有し、下型50は内層2の軸部22を形成するためのキャビティ60cを有する。円筒状鋳型30を用いる遠心鋳造法は水平型、傾斜型又は垂直型のいずれでも良い。
【００５２】
軸部22形成用の下型50の上端部54上に、外層1を遠心鋳造した円筒状鋳型30を起立させて設置し、円筒状鋳型30の上に軸部23形成用の上型40を設置すると、静置鋳造用鋳型100が構成される。静置鋳造用鋳型100において、外層1内のキャビティ60aは上型40のキャビティ60b及び下型50のキャビティ60cと連通し、内層1全体を一体的に形成するキャビティ60が構成される。
【００５３】
静置鋳造用鋳型100において、遠心鋳造法により形成した外層の凝固途中又は凝固後に、内層2用のダクタイル鋳鉄（球状黒鉛鋳鉄）溶湯が上型40の上方開口部43からキャビティ60内に注入されるに従い、キャビティ60内の溶湯の湯面は下型50から上型40まで次第に上昇し、軸部22、胴芯部21及び軸部23からなる内層2が一体的に鋳造される。
【００５４】
本発明を以下の実施例によりさらに詳細に説明するが、本発明はこれらの実施例に限定されるものではない。
【００５５】
実施例1〜4及び比較例1〜4
表1-1及び表1-2に示す化学組成（残部はFe及び不可避的不純物である。）の各外層用溶湯を用いて、外径100 mm及び長さ160 mmのインゴットを鋳造した。このインゴットに対して、1060℃に加熱後、焼入れを行い、500〜550℃で3回焼戻しを行った後、加工を行い、外径60 mm、内径35 mm及び幅40 mmのスリーブ構造の試験用ロール（外層材）を作製した。
【００５６】
【表１−１】
2020022989.tif 000003
注(1) 各化学組成における残部はFe及び不可避的不純物である。
【００５７】
【表１−２】
2020022989.tif 000004
注(1) 各化学組成における残部はFe及び不可避的不純物である。
注(2) C-bal＝C%-0.2×V%-0.06×Cr%-0.063×Mo%-0.033×W%-0.13×Nb%
【００５８】
耐摩耗性と耐肌荒れ性を評価するため、図3に示す圧延摩耗試験機を用いて、各試験用ロールに対して摩耗試験を行った。圧延摩耗試験機は、圧延機11と、圧延機11に組み込まれた試験用ロール12,13と、圧延材18を予熱する加熱炉14と、圧延材18を冷却する冷却水槽15と、圧延中に一定の張力を与える巻取機16と、張力を調節するコントローラ17とを具備する。圧延摩耗条件は以下の通りであった。
【００５９】
＜圧延摩耗条件＞
圧延材：SUS304
圧下率：25%
圧延速度：150 m／分
圧延材温度：950℃
圧延距離：1000 m／回
ロール冷却：水冷
ロール数：4重式
【００６０】
圧延後、試験用ロールの表面に生じた摩耗の深さ及び肌粗さ（Ra）を触針式表面粗さ計により測定した。また、試験用ロール表面のショア硬さHSをJIS Z 2246に基づき測定した。これらの結果を表3に示す。
【００６１】
実施例5
図2(a)に示す構造の円筒状鋳型30を水平型の遠心鋳造機に設置し、表2-1及び表2-2に示す化学組成（残部はFe及び不可避的不純物である。）の各溶湯を用いて外層1を遠心鋳造した。外層外周における重力倍数は120 Gであった。外層1が凝固した後、内面に外層1が形成された円筒状鋳型30を起立させ、軸部22形成用の中空状下型50の上に円筒状鋳型30を立設し、円筒状鋳型30の上に軸部23形成用の中空状上型40を立設し、図2(b)に示す静置鋳造用鋳型100を構成した。
【００６２】
得られた静置鋳造用鋳型100内の外層1のキャビティ60に、内層用溶湯として表2-1及び表2-2に示す化学組成（残部はFe及び不可避的不純物である。）のダクタイル鋳鉄溶湯を上方開口部43から注湯し、途中でSiを含む黒鉛化接種材を接種した。内層の凝固完了後、静置鋳造用鋳型100を解体して、得られた複合ロールを取り出した。この複合ロールに対し、1000℃から焼入れ処理を行い、530℃の焼き戻し処理を2回行った後、加工して外径740 mm、外層厚さ72 mm、外層長さ2500 mm及び全長5000 mmの圧延用遠心鋳造複合ロールを製造した。
【００６３】
【表２−１】
2020022989.tif 000005
注：(1) 各化学組成における残部はFe及び不可避的不純物である。
【００６４】
【表２−２】
2020022989.tif 000006
注(1) 各化学組成における残部はFe及び不可避的不純物である。
注(2) C-bal＝C%-0.2×V%-0.06×Cr%-0.063×Mo%-0.033×W%-0.13×Nb%
【００６５】
この複合ロールの外層表面のショア硬さHSをJIS Z 2246に基づき測定した。また、この外層の端部から、外径60 mm、内径35 mm及び幅40 mmのスリーブ構造の試験用ロールを削り出し、実施例1〜4及び比較例1〜4の試験用ロールと同様に圧延摩耗試験を行った。これらの結果を表3に示す。
【００６６】
【表３】
2020022989.tif 000007
【００６７】
表3から、実施例１〜4の試験用ロール（外層材）及び実施例5の圧延用遠心鋳造複合ロールの外層は、比較例１〜4の外層材に比べて、摩耗量が小さく、肌粗さ（Ra）も小さいことがわかる。
【００６８】
この複合ロールを鋼板の熱間圧延に使用したところ、従来のハイスロールに比べて、耐摩耗性及び耐肌荒れ性が優れていることを確認した。
【符号の説明】
【００６９】
10・・・遠心鋳造製複合ロール
1・・・外層
2・・・内層
21・・・胴芯部
22、23・・・軸部
100・・・静置鋳造用鋳型
30・・・遠心鋳造用円筒状鋳型
32,33,42,52・・・砂型
40・・・静置鋳造用上型
50・・・静置鋳造用下型
60,60a,60b,60c・・・キャビティ
【図１】
2020022989.tif 000008
【図２（ａ）】
2020022989.tif 000009
【図２（ｂ）】
2020022989.tif 000010
【図３】
2020022989.tif 000011